【手続補正書】
【提出日】平成25年7月17日(2013.7.17)
【手続補正１】
【補正対象書類名】特許請求の範囲
【補正対象項目名】全文
【補正方法】変更
【補正の内容】
【特許請求の範囲】
【請求項１】
無線接続システムにおいて媒体接続制御プロトコルデータユニット（ＭＡＣ  ＰＤＵ）を伝送する方法であって、前記方法は、
送信端によって、受信端とのサービスフローと関連した連結を成立することと、
前記送信端によって、前記連結に従って構成されたＭＡＣヘッダーを含む前記ＭＡＣ  ＰＤＵを構成することと、
前記受信端に前記ＭＡＣ  ＰＤＵを伝送することと
を含み、
前記連結が一般データパケット伝送と関連した場合、前記ＭＡＣヘッダーは、一般ＭＡＣヘッダー（ＧＭＨ）であり、
前記連結が小さいデータパケット伝送及び非ＡＲＱ伝送と関連した場合、前記ＭＡＣヘッダーは、ショートパケットＭＡＣヘッダー（ＳＰＭＨ）である、方法。
【請求項２】
前記ＳＰＭＨは、前記ＭＡＣ  ＰＤＵの伝送のために使用される前記連結を識別するフロー識別子（ＦＩＤ）フィールド、拡張ヘッダーグループが前記ＳＰＭＨの後に存在するか否かを示す拡張ヘッダーグループ存在指示子（ＥＨ）フィールド、前記ＳＰＭＨ、及び存在するなら拡張ヘッダーを含む前記ＭＡＣ  ＰＤＵの長さをバイト単位で示す長さフィールド、並びに前記ＭＡＣ  ＰＤＵのペイロードシーケンス番号を示し、各ＭＡＣ  ＰＤＵに対して１ずつ増加するシーケンス番号（ＳＮ）フィールドで構成される、請求項１に記載の方法。
【請求項３】
前記小さいデータパケットは、固定された大きさ及び周期的伝送間隔を有するＶｏＩＰ（Ｖｏｉｃｅ  ｏｖｅｒ  Ｉｎｔｅｒｎｅｔ  Ｐｒｏｔｏｃｏｌ）データパケットである、請求項２に記載の方法。
【請求項４】
前記ＦＩＤフィールドの大きさは、４ビットであり、
前記ＥＨフィールドの大きさは、１ビットであり、
前記長さフィールドの大きさは、７ビットであり、
前記ＳＮフィールドの大きさは、４ビットであり、
前記ＧＭＨ及び前記ＳＰＭＨの全部の大きさは、２バイトと同一である、請求項２に記載の方法。
【請求項５】
前記ＳＮフィールドは、ハイブリッド自動再伝送要請（ＨＡＲＱ）方式のために使用される、請求項４に記載の方法。
【請求項６】
前記ＧＭＨは、前記ＭＡＣ  ＰＤＵの伝送のために使用される前記連結を識別するフロー識別子（ＦＩＤ）フィールド、拡張ヘッダーグループが前記ＧＭＨの後に存在するか否かを示す拡張ヘッダーグループ存在指示子（ＥＨ）フィールド、並びに前記ＧＭＨ、及び存在するなら拡張ヘッダーを含む前記ＭＡＣ  ＰＤＵの長さをバイト単位で示す長さフィールドで構成される、請求項１に記載の方法。
【請求項７】
前記ＦＩＤフィールドの大きさは、４ビットであり、
前記ＥＨフィールドの大きさは、１ビットであり、
前記長さフィールドの大きさは、１１ビットであり、
前記ＧＭＨ及び前記ＳＰＭＨの全部の大きさは、２バイトと同一である、請求項６に記載の方法。
【請求項８】
前記連結に基づいて、前記ＧＭＨ、前記ＳＰＭＨ及びＭＡＣシグナリングヘッダー（ＭＳＨ）から、前記ＭＡＣヘッダーを選択することをさらに含む、請求項１に記載の方法。
【請求項９】
無線接続システムにおいて媒体接続制御プロトコルデータユニット（ＭＡＣ  ＰＤＵ）を伝送する送信端であって、前記送信端は、
送信モジュールと、
受信モジュールと、
前記ＭＡＣ  ＰＤＵを構成するＭＡＣ  ＰＤＵ生成モジュールを含むプロセッサと
を含み、
前記送信端は、
受信端とのサービスフローと関連した連結を成立させ、
前記ＭＡＣ  ＰＤＵ生成モジュールを用いることによって前記連結に従って構成されたＭＡＣヘッダーを含む前記ＭＡＣ  ＰＤＵを構成し、
前記受信端に前記ＭＡＣ  ＰＤＵを伝送し、
前記連結が一般データパケット伝送と関連した場合、前記ＭＡＣヘッダーは、一般ＭＡＣヘッダー（ＧＭＨ）であり、
前記連結が小さいデータパケット伝送及び非ＡＲＱ伝送と関連した場合、前記ＭＡＣヘッダーは、ショートパケットＭＡＣヘッダー（ＳＰＭＨ）である、送信端。
【請求項１０】
前記ＳＰＭＨは、前記ＭＡＣ  ＰＤＵの伝送のために使用される前記連結を識別するフロー識別子（ＦＩＤ）フィールド、拡張ヘッダーグループが前記ＳＰＭＨの後に存在するか否かを示す拡張ヘッダーグループ存在指示子（ＥＨ）フィールド、前記ＳＰＭＨ、及び存在するなら拡張ヘッダーを含む前記ＭＡＣ  ＰＤＵの長さをバイト単位で示す長さフィールド、並びに前記ＭＡＣ  ＰＤＵのペイロードシーケンス番号を示し、各ＭＡＣ  ＰＤＵに対して１ずつ増加するシーケンス番号（ＳＮ）フィールドで構成される、請求項９に記載の送信端。
【請求項１１】
前記小さいデータパケットは、固定された大きさ及び周期的伝送間隔を有するＶｏＩＰ（Ｖｏｉｃｅ  ｏｖｅｒ  Ｉｎｔｅｒｎｅｔ  Ｐｒｏｔｏｃｏｌ）データパケットである、請求項１０に記載の送信端。
【請求項１２】
前記ＦＩＤフィールドの大きさは、４ビットであり、
前記ＥＨフィールドの大きさは、１ビットであり、
前記長さフィールドの大きさは、７ビットであり、
前記ＳＮフィールドの大きさは、４ビットであり、
前記ＧＭＨ及び前記ＳＰＭＨの全部の大きさは、２バイトと同一である、請求項１０に記載の送信端。
【請求項１３】
前記ＳＮフィールドは、ハイブリッド自動再伝送要請（ＨＡＲＱ）方式のために使用される、請求項１２に記載の送信端。
【請求項１４】
前記ＧＭＨは、前記ＭＡＣ  ＰＤＵの伝送のために使用される前記連結を識別するフロー識別子（ＦＩＤ）フィールド、拡張ヘッダーグループが前記ＧＭＨの後に存在するか否かを示す拡張ヘッダーグループ存在指示子（ＥＨ）フィールド、並びに前記ＧＭＨ、及び存在するなら拡張ヘッダーを含む前記ＭＡＣ  ＰＤＵの長さをバイト単位で示す長さフィールドで構成される、請求項９に記載の送信端。
【請求項１５】
前記ＦＩＤフィールドの大きさは、４ビットであり、
前記ＥＨフィールドの大きさは、１ビットであり、
前記長さフィールドの大きさは、１１ビットであり、
前記ＧＭＨ及び前記ＳＰＭＨの全部の大きさは、２バイトと同一である、請求項１４に記載の送信端。
【請求項１６】
前記送信端は、前記連結に基づいて、前記ＧＭＨ、前記ＳＰＭＨ及びＭＡＣシグナリングヘッダー（ＭＳＨ）から、前記ＭＡＣヘッダーをさらに決定する、請求項９に記載の送信端。
【手続補正２】
【補正対象書類名】明細書
【補正対象項目名】００４０
【補正方法】変更
【補正の内容】
【００４０】
前記各実施形態は、本発明の好適な各実施例のうち一部に過ぎなく、本発明の技術的特徴が反映された多様な実施例は、当該技術分野で通常の知識を有する者によって以下で説明する本発明の詳細な説明に基づいて導出されて理解されるだろう。
本願明細書は、例えば、以下の項目も提供する。
（項目１）
無線接続システムで媒体接続制御プロトコルデータユニット（ＭＡＣ  ＰＤＵ）を伝送する方法において、
送信端で受信端とサービスフローと関連した連結を成立すること；
前記送信端で前記連結によって構成されたＭＡＣヘッダーを含む前記ＭＡＣ  ＰＤＵを構成すること；及び
前記受信端に前記ＭＡＣ  ＰＤＵを伝送すること；を含み、
前記連結が一般データパケット伝送と関連した場合、前記ＭＡＣヘッダーは一般ＭＡＣヘッダー（ＧＭＨ）で、
前記連結が小さいデータパケット伝送及び非ＡＲＱ伝送と関連した場合、前記ＭＡＣヘッダーはショートパケットＭＡＣヘッダー（ＳＰＭＨ）である、ＭＡＣ  ＰＤＵ伝送方法。
（項目２）
前記ＳＰＭＨは、フロー識別子（ＦＩＤ）フィールド、拡張ヘッダーグループ存在指示子（ＥＨ）フィールド、長さフィールド及びシーケンス番号（ＳＮ）フィールドで構成される、項目１に記載のＭＡＣ  ＰＤＵ伝送方法。
（項目３）
前記小さいデータパケットは、固定された大きさ及び周期的伝送間隔を有するＶｏＩＰ（Ｖｏｉｃｅ  ｏｖｅｒ  Ｉｎｔｅｒｎｅｔ  Ｐｒｏｔｏｃｏｌ）データパケットである、項目２に記載のＭＡＣ  ＰＤＵ伝送方法。
（項目４）
前記ＦＩＤフィールドは、ＭＡＣ  ＰＤＵ伝送のために使用される前記連結を識別し、
前記ＥＨフィールドは、拡張ヘッダーグループが前記ＳＰＭＨの後に存在するかどうかを指示し、
前記長さフィールドは、前記ＳＰＭＨ、及び存在するなら拡張ヘッダーを含むＭＡＣ  ＰＤＵの長さをバイト単位で示し、
前記ＳＮフィールドは、前記ＭＡＣ  ＰＤＵのペイロードシーケンス番号を示し、各ＭＡＣ  ＰＤＵによって増加する、項目３に記載のＭＡＣ  ＰＤＵ伝送方法。
（項目５）
前記ＦＩＤフィールドの大きさは４ビットで、
前記ＥＨフィールドの大きさは１ビットで、
前記長さフィールドの大きさは７ビットで、
前記ＳＮフィールドの大きさは４ビットである、項目４に記載のＭＡＣ  ＰＤＵ伝送方法。
（項目６）
前記ＳＮフィールドはハイブリッド自動再伝送（ＨＡＲＱ）方式のために使用される、項目５に記載のＭＡＣ  ＰＤＵ伝送方法。
（項目７）
前記ＧＭＨは、フロー識別子（ＦＩＤ）フィールド、拡張ヘッダーグループ存在指示子（ＥＨ）フィールド及び長さフィールドで構成される、項目１に記載のＭＡＣ  ＰＤＵ伝送方法。
（項目８）
前記ＦＩＤフィールドは、前記ＭＡＣ  ＰＤＵの伝送のために使用される連結を識別し、
前記ＥＨフィールドは、前記ＧＭＨの後に拡張ヘッダーグループが存在するかどうかを指示し、
前記長さフィールドは、前記ＧＭＨ、及び存在するなら拡張ヘッダーを含むＭＡＣ  ＰＤＵの長さをバイト単位で示す、項目７に記載のＭＡＣ  ＰＤＵ伝送方法。
（項目９）
前記ＦＩＤフィールドの大きさは４ビットで、
前記ＥＨフィールドの大きさは１ビットで、
前記長さフィールドの大きさは７ビットで、
前記ＳＮフィールドの大きさは４ビットである、項目８に記載のＭＡＣ  ＰＤＵ伝送方法。
（項目１０）
前記ＧＭＨ及び前記ＳＰＭＨの大きさは２バイトで同一である、項目１に記載のＭＡＣ  ＰＤＵ伝送方法。
（項目１１）
前記ＧＭＨ及び前記ＳＰＭＨは暗号化されていない、項目１に記載のＭＡＣ  ＰＤＵ伝送方法。
（項目１２）
前記連結を基盤として前記ＧＭＨ、前記ＳＰＭＨ及びＭＡＣシグナリングヘッダー（ＭＳＨ）のうち前記ＭＡＣヘッダーを選択することをさらに含む、項目１に記載のＭＡＣ
ＰＤＵ伝送方法。
（項目１３）
無線接続システムで媒体接続制御プロトコルユニット（ＭＡＣ  ＰＤＵ）を伝送する方法において、
小さいデータパケット伝送及び非−ＡＲＱ伝送のためのショートパケットＭＡＣヘッダー（ＳＰＭＨ）を構成すること；
前記小さいデータパケットのためのＳＰＭＨを含むＭＡＣ  ＰＤＵを構成すること；及び
前記ＭＡＣ  ＰＤＵを受信端に伝送すること；を含み、
前記ＳＰＭＨは、フロー識別子（ＦＩＤ）フィールド、拡張ヘッダーグループ存在指示子（ＥＨ）フィールド、長さフィールド及びシーケンス番号（ＳＮ）フィールドのみで構成され、
前記ＳＮフィールドは、ＭＡＣ  ＰＤＵのペイロードシーケンス番号を指示し、ＭＡＣ
ＰＤＵ別に増加する、ＭＡＣ  ＰＤＵ伝送方法。
（項目１４）
前記小さいデータパケットは、固定された大きさ及び周期的伝送間隔を有するＶｏＩＰ（Ｖｏｉｃｅ  ｏｖｅｒ  Ｉｎｔｅｒｎｅｔ  Ｐｒｏｔｏｃｏｌ）である、項目１３に記載のＭＡＣ  ＰＤＵ伝送方法。
（項目１５）
前記ＳＮフィールドはハイブリッド自動再伝送（ＨＡＲＱ）方式で使用される、項目１４に記載のＭＡＣ  ＰＤＵ伝送方法。
（項目１６）
前記ＦＩＤフィールドは、前記ＭＡＣ  ＰＤＵ伝送のために使用される連結を識別し、
前記ＥＨフィールドは、拡張ヘッダーグループが前記ＳＰＭＨの後に存在するかどうかを指示し、
前記長さフィールドは、前記ＳＰＭＨ、及び存在するなら拡張ヘッダーを含むＭＡＣ  ＰＤＵの長さをバイト単位で示す、項目１４に記載のＭＡＣ  ＰＤＵ伝送方法。
（項目１７）
前記ＦＩＤフィールドの大きさは４ビットで、
前記ＥＨフィールドの大きさは１ビットで、
前記長さフィールドの大きさは７ビットで、
前記ＳＮフィールドの大きさは４ビットである、項目１６に記載のＭＡＣ  ＰＤＵ伝送方法。
（項目１８）
前記ＳＰＭＨの大きさは２バイトである、項目１４に記載のＭＡＣ  ＰＤＵ伝送方法。
（項目１９）
前記ＭＡＣ  ＰＤＵに対するサービスフローを生成するために動的サービス追加要請（ＡＡＩ−ＤＳＡ−ＲＥＱ）メッセージを伝送すること；及び
前記ＦＩＤフィールドによって指示されるフロー識別子を含む動的サービス追加応答（ＡＡＩ−ＤＳＡ−ＲＳＰ）メッセージを受信すること；を含み、
前記ＦＩＤフィールドは前記ＳＰＭＨを識別する、項目１４に記載のＭＡＣ  ＰＤＵ伝送方法。